(57)【要約】  本開示は、ＵＣＩ送信方法及びユーザ端末を提供する。ＵＣＩ送信方法において、物理上り制御チャネルＰＵＣＣＨと物理上り共有チャネルＰＵＳＣＨとが時間的に重なりがある場合、パラメータとしての上りデータスケジューリングタイプ、上り搬送波の数値的特徴のうちの少なくとも１つに基づいて、ＰＵＳＣＨを選択してＵＣＩを搬送して送信することを含む。【選択図】  図１
2021513782.tif 000002
【特許請求の範囲】
【請求項１】
上り制御シグナリングＵＣＩ送信方法であって、
物理上り制御チャネルＰＵＣＣＨと物理上り共有チャネルＰＵＳＣＨとが時間的に重なりがある場合、パラメータとしての上りデータスケジューリングタイプ、上り搬送波の数値的特徴のうちの少なくとも１つに基づいて、ＰＵＳＣＨを選択してＵＣＩを搬送して送信するステップを含む、ＵＣＩ送信方法。
【請求項２】
前記パラメータの少なくとも１つに基づいて、ＰＵＳＣＨを選択してＵＣＩを搬送して送信するステップの前に、
ＰＵＣＣＨ送信のスロット内で、ＰＵＣＣＨとＰＵＳＣＨとが時間的に重なりがあるか否かを判断することを更に含む、請求項１に記載のＵＣＩ送信方法。
【請求項３】
前記ＰＵＣＣＨとＰＵＳＣＨとが時間的に重なりがあるか否かを判断することは、
ＰＵＣＣＨとＰＵＳＣＨを基準搬送波にマッピングし、前記上り搬送波の数値的特徴に基づいて、ＰＵＳＣＨ及びＰＵＣＣＨをスケーリングすることと、
マッピング後のＰＵＣＣＨのシンボルの開始位置と長さ、及びマッピング後のＰＵＳＣＨのシンボルの開始位置と長さに基づいて、ＰＵＣＣＨとＰＵＳＣＨとが時間的に重なりがあるか否かを判断することとを含む、請求項２に記載のＵＣＩ送信方法。
【請求項４】
前記基準搬送波は、ＰＵＣＣＨが存在する搬送波である、請求項３に記載のＵＣＩ送信方法。
【請求項５】
前記ＰＵＣＣＨとＰＵＳＣＨとが時間的に重なりがあるか否かを判断することは、
ＰＵＣＣＨの数値的特徴に基づいてＰＵＣＣＨをスケーリングし、各ＰＵＳＣＨが存在する搬送波にマッピングすることと、
マッピング後のＰＵＣＣＨのシンボルの開始位置と長さが、ＰＵＳＣＨが存在するスロットと少なくとも部分的に重なる場合、ＰＵＣＣＨとＰＵＳＣＨとが時間的に重なりがあると判断することとを含む、請求項２に記載のＵＣＩ送信方法。
【請求項６】
前記上りデータスケジューリングタイプは、下り制御情報ＤＣＩによるスケジューリングを含み、
前記ＰＵＳＣＨを選択してＵＣＩを搬送して送信するステップは、
ＰＵＳＣＨがＤＣＩによってスケジューリングされ、且つこのＤＣＩが非周期チャネル状態情報又は半静的チャネル状態情報の報告を指示する場合、前記ＰＵＳＣＨを選択してＵＣＩを搬送して送信することを含む、請求項１〜５のいずれか一項に記載のＵＣＩ送信方法。
【請求項７】
前記上り搬送波の数値的特徴は、伝送開始時点を含み、
前記ＰＵＳＣＨを選択してＵＣＩを搬送して送信するステップは、
ＰＵＳＣＨの伝送開始時点がＰＵＣＣＨの伝送開始時点と同じであり、又は、ＰＵＳＣＨの伝送開始時点がＰＵＣＣＨの伝送開始時点よりも後である場合、前記ＰＵＳＣＨを多重化してＵＣＩを送信することを選択することを含む、請求項１〜５のいずれか一項に記載のＵＣＩ送信方法。
【請求項８】
前記上りデータスケジューリングタイプは、グラントフリー又は配置スケジューリングを含み、
前記ＰＵＳＣＨを選択してＵＣＩを搬送して送信するステップは、
ＰＵＳＣＨの伝送開始時点がＰＵＣＣＨの伝送開始時点よりも前である場合、重なったＰＵＳＣＨのうちの少なくとも１つがグラントフリー又は配置スケジューリングのＰＵＳＣＨであると、ＰＵＣＣＨの重なった部分をパンクチャリングし又は前記ＵＣＩを破棄し、重なったＰＵＳＣＨにグラントフリー又は配置スケジューリングのＰＵＳＣＨが存在しないと、前記ＰＵＣＣＨを伝送し、前記ＰＵＳＣＨの重なった部分の伝送を破棄し又はＰＵＳＣＨ全体を破棄することを更に含む、請求項１〜５のいずれか一項に記載のＵＣＩ送信方法。
【請求項９】
前記ＰＵＳＣＨを多重化してＵＣＩを送信することを選択し、且つＰＵＣＣＨと重なるＰＵＳＣＨが複数存在してＵＣＩの搬送に利用可能である場合、
グラントフリー又は配置スケジューリングのＰＵＳＣＨ以外のＰＵＳＣＨを選択してＵＣＩを搬送すること、
前記上り搬送波の数値的特徴にＵＣＩのコードレートを更に含む場合、ネットワーク側から配置又は指示されたβオフセット値の重みに応じて、ＵＣＩを搬送した後のＵＣＩのコードレートが最も低いＰＵＳＣＨを選択してＵＣＩを搬送すること、
前記上り搬送波の数値的特徴にＰＵＳＣＨのデータ部分等価コードレートと制御ビットを更に含む場合、ＵＣＩを搬送した後のＰＵＳＣＨのデータ部分等価コードレートが最も低いか、又は制御ビットオーバーヘッドが最も少ないＰＵＳＣＨを選択してＵＣＩを搬送すること、
前記上り搬送波の数値的特徴に伝送終了時点を更に含む場合、伝送終了時点が最も早いＰＵＳＣＨを選択してＵＣＩを搬送すること、
重なりのあるＰＵＳＣＨが、ＰＵＣＣＨが存在するセル又は搬送波で伝送する場合、前記重なりのあるＰＵＳＣＨを選択してＵＣＩを搬送すること、
前記上り搬送波の数値的特徴にセル又は搬送波のサブスクリプトを更に含む場合、サブスクリプトが最も小さいセル又は搬送波上のＰＵＳＣＨを選択してＵＣＩを搬送すること、
前記上り搬送波の数値的特徴に伝送終了時点を更に含み、且つＰＵＣＣＨと重なるＰＵＳＣＨが複数存在してＵＣＩの搬送に利用可能である場合、伝送開始時点がＰＵＣＣＨの伝送開始時点と同一であり、且つ伝送終了時点が最も早いＰＵＳＣＨを選択してＵＣＩを搬送することのうち、少なくとも１つに基づいて、ＵＣＩを搬送するＰＵＳＣＨを選択する、請求項６〜８のいずれか一項に記載のＵＣＩ送信方法。
【請求項１０】
物理上り制御チャネルＰＵＣＣＨと物理上り共有チャネルＰＵＳＣＨとが時間的に重なりがある場合、パラメータとしての上りデータスケジューリングタイプ、上り搬送波の数値的特徴のうちの少なくとも１つに基づいて、ＰＵＳＣＨを選択してＵＣＩを搬送して送信するための送信モジュールを含む、ユーザ端末。
【請求項１１】
ＰＵＣＣＨ送信のスロット内で、ＰＵＣＣＨとＰＵＳＣＨとが時間的に重なりがあるか否かを判断するための処理モジュールを更に含む、請求項１０に記載のユーザ端末。
【請求項１２】
前記処理モジュールは、
ＰＵＣＣＨとＰＵＳＣＨを基準搬送波にマッピングし、前記上り搬送波の数値的特徴に基づいて、ＰＵＳＣＨ及びＰＵＣＣＨをスケーリングするための第１マッピングユニットと、
マッピング後のＰＵＣＣＨのシンボルの開始位置と長さ、及びマッピング後のＰＵＳＣＨのシンボルの開始位置と長さに基づいて、ＰＵＣＣＨとＰＵＳＣＨとが時間的に重なりがあるか否かを判断するための第１判断ユニットとを含む、請求項１１に記載のユーザ端末。
【請求項１３】
前記基準搬送波、ＰＵＣＣＨが存在する搬送波である、請求項１２に記載のユーザ端末。
【請求項１４】
前記処理モジュールは、
ＰＵＣＣＨの数値的特徴に基づいてＰＵＣＣＨをスケーリングし、各ＰＵＳＣＨが存在する搬送波にマッピングするための第２マッピングユニットと、
マッピング後のＰＵＣＣＨのシンボルの開始位置と長さが、ＰＵＳＣＨが存在するスロットと少なくとも部分的に重なる場合、ＰＵＣＣＨとＰＵＳＣＨとが時間的に重なりがあると判断するための第２判断ユニットとを含む、請求項１１に記載のユーザ端末。
【請求項１５】
前記上りデータスケジューリングタイプは、下り制御情報ＤＣＩによるスケジューリングを含み、
前記送信モジュールは、具体的には、ＰＵＳＣＨがＤＣＩによってスケジューリングされ、且つこのＤＣＩが非周期チャネル状態情報又は半静的チャネル状態情報の報告を指示する場合、前記ＰＵＳＣＨを選択してＵＣＩを搬送して送信することに用いられる、請求項１０〜１４のいずれか一項に記載のユーザ端末。
【請求項１６】
前記上り搬送波の数値的特徴は、伝送開始時点を含み、
前記送信モジュールは、具体的には、ＰＵＳＣＨの伝送開始時点がＰＵＣＣＨの伝送開始時点と同じであり、又は、ＰＵＳＣＨの伝送開始時点がＰＵＣＣＨの伝送開始時点よりも後である場合、前記ＰＵＳＣＨを多重化してＵＣＩを送信することを選択することに用いられる、請求項１０〜１４のいずれか一項に記載のユーザ端末。
【請求項１７】
前記上りデータスケジューリングタイプは、グラントフリー又は配置スケジューリングを含み、
前記送信モジュールは、具体的には、ＰＵＳＣＨの伝送開始時点がＰＵＣＣＨの伝送開始時点よりも前である場合、重なったＰＵＳＣＨのうちの少なくとも１つがグラントフリー又は配置スケジューリングのＰＵＳＣＨであると、ＰＵＣＣＨの重なった部分をパンクチャリングし又は前記ＵＣＩを破棄し、重なったＰＵＳＣＨにグラントフリー又は配置スケジューリングのＰＵＳＣＨが存在しないと、前記ＰＵＣＣＨを伝送し、前記ＰＵＳＣＨの重なった部分の伝送を破棄し又はＰＵＳＣＨ全体を破棄することに用いられる、請求項１０〜１４のいずれか一項に記載のユーザ端末。
【請求項１８】
前記ＰＵＳＣＨを多重化してＵＣＩを送信することを選択し、且つＰＵＣＣＨと重なるＰＵＳＣＨが複数存在してＵＣＩの搬送に利用可能である場合、
前記送信モジュールは、
グラントフリー又は配置スケジューリングのＰＵＳＣＨ以外のＰＵＳＣＨを選択してＵＣＩを搬送すること、
前記上り搬送波の数値的特徴にＵＣＩのコードレートを更に含む場合、ネットワーク側から配置又は指示されたβオフセット値の重みに応じて、ＵＣＩを搬送した後のＵＣＩのコードレートが最も低いＰＵＳＣＨを選択してＵＣＩを搬送すること、
前記上り搬送波の数値的特徴にＰＵＳＣＨのデータ部分等価コードレートと制御ビットを更に含む場合、ＵＣＩを搬送した後のＰＵＳＣＨのデータ部分等価コードレートが最も低いか、又は制御ビットオーバーヘッドが最も少ないＰＵＳＣＨを選択してＵＣＩを搬送すること、
前記上り搬送波の数値的特徴に伝送終了時点を更に含む場合、伝送終了時点が最も早いＰＵＳＣＨを選択してＵＣＩを搬送すること、
重なりのあるＰＵＳＣＨが、ＰＵＣＣＨが存在するセル又は搬送波で伝送する場合、前記重なりのあるＰＵＳＣＨを選択してＵＣＩを搬送すること、
前記上り搬送波の数値的特徴にセル又は搬送波のサブスクリプトを更に含む場合、サブスクリプトが最も小さいセル又は搬送波上のＰＵＳＣＨを選択してＵＣＩを搬送すること、
前記上り搬送波の数値的特徴に伝送終了時点を更に含み、且つＰＵＣＣＨと重なるＰＵＳＣＨが複数存在してＵＣＩの搬送に利用可能である場合、伝送開始時点がＰＵＣＣＨの伝送開始時点と同一であり、且つ伝送終了時点が最も早いＰＵＳＣＨを選択してＵＣＩを搬送することのうち、少なくとも１つに基づいて、ＵＣＩを搬送するＰＵＳＣＨを選択することに用いられる、請求項１５〜１７のいずれか一項に記載のユーザ端末。
【請求項１９】
メモリと、プロセッサと、メモリに記憶され、プロセッサで動作可能なコンピュータプログラムとを含むユーザ端末であって、
前記コンピュータプログラムが前記プロセッサによって実行されると、
前記プロセッサは、請求項１〜９のいずれか１項に記載の上り制御シグナリングＵＣＩ送信方法のステップを実現する、ユーザ端末。
【請求項２０】
コンピュータプログラムが記憶されているコンピュータ読み取り可能な記憶媒体であって、
前記コンピュータプログラムがプロセッサによって実行されると、
前記プロセッサは、請求項１〜９のいずれか１項に記載の上り制御シグナリングＵＣＩ送信方法のステップを実現する、コンピュータ読み取り可能な記憶媒体。
【発明の詳細な説明】
【技術分野】
【０００１】
本願は、２０１８年２月９日に中国特許庁に提出された中国特許出願２０１８１０１３６１６７．９の優先権を主張し、その全ての内容が援用によりここに取り込まれる
本開示は、通信技術分野に係り、特にＵＣＩ送信方法及びユーザ端末に係る。
【背景技術】
【０００２】
ロングタームエボリューション（Ｌｏｎｇ  Ｔｅｒｍ  Ｅｖｏｌｕｔｉｏｎ、ＬＴＥ  ）システムにおいて、ユーザ端末（Ｕｓｅｒ  Ｅｑｕｉｐｍｅｎｔ、ＵＥ）は、あるサブフレーム内で上りデータ及び上り制御シグナリング（ｕｐｌｉｎｋ  ｃｏｎｔｒｏｌ  ｉｎｆｏｒｍａｔｉｏｎ、ＵＣＩ）を同時に送信する必要がある場合、上り制御シグナリングを上りデータ内で搬送して電力ピーク対平均比を低減する。
【０００３】
ＬＴＥシステムでは、キャリアアグリゲーション（Ｃａｒｒｉｅｒ  Ａｇｇｒｅｇａｔｉｏｎ、ＣＡ）技術もサポートされ、ＵＥは、複数の上り搬送波で上りデータを送信することができる。１つのサブフレーム内の複数の上り搬送波で同時に物理上り共有チャネル（ｐｈｙｓｉｃａｌ  ｕｐｌｉｎｋ  ｓｈａｒｅｄ  ｃｈａｎｎｅｌ、ＰＵＳＣＨ）送信が存在し、且つＵＥがこのサブフレーム内でＵＣＩを送信する必要がある場合、ＵＥは、そのうちの１つのＰＵＳＣＨを選択してＵＣＩを搬送する。すなわち、選択されたＰＵＳＣＨでＵＣＩを多重化して送信する。ＵＥは、単純に搬送波のサブスクリプトに基づいてＰＵＳＣＨを選択し、すなわち、搬送波サブスクリプトが最も小さいＰＵＳＣＨを多重化してＵＣＩを伝送する。
【０００４】
ニューラジオ（Ｎｅｗ  Ｒａｄｉｏ、ＮＲ）システムでも、ＣＡ及びＰＵＳＣＨ内でＵＣＩを多重化する設計をサポートする。しかしながら、ＮＲシステムにおいて柔軟なフレーム構造がサポートされ、異なる上り搬送波の数値的特徴（ｎｕｍｅｒｏｌｏｇｙ）が異なってもよい。一方、ＮＲシステムでは、柔軟で動的な物理上り制御チャネル（ｐｈｙｓｉｃａｌ  ｕｐｌｉｎｋ  ｃｏｎｔｒｏｌ  ｃｈａｎｎｅｌ、ＰＵＣＣＨ）構造がサポートされ、ＰＵＣＣＨは、１〜２シンボルの短いＰＵＣＣＨフォーマット、又は４〜１４シンボルの長いＰＵＣＣＨフォーマットである。従って、ＬＴＥの簡単な搬送波選択技術は、ＮＲには適していない。更に、ＮＲは、高信頼性低遅延（Ｕｌｔｒａ−ｒｅｌｉａｂｌｅ  ｌｏｗ  ｌａｔｅｎｃｙ  ｃｏｍｍｕｎｉｃａｔｉｏｎ，ＵＲＬＬＣ）トラフィックをサポートするために、グラントフリー（ｇｒａｎｔ−ｆｒｅｅ）又は配置スケジューリング（ｃｏｎｆｉｇｕｒｅｄ  ｓｃｈｅｄｕｌｉｎｇ）のＰＵＳＣＨをＵＥに対し配置することもできる。ＬＴＥの搬送波選択技術を単純に援用することは、グラントフリー又は配置スケジューリングのＰＵＳＣＨの処理複雑度を増加させる。
【発明の概要】
【発明が解決しようとする課題】
【０００５】
本開示の解決しようとする技術課題は、ＵＥが複数の候補のＰＵＳＣＨ送信がある場合に最適なＰＵＳＣＨを選択してＵＣＩを搬送することをサポートし、システムの処理遅延を低減し、ＵＥのピーク対平均比を低減することができるＵＣＩ送信方法及びユーザ端末を提供することである。
【課題を解決するための手段】
【０００６】
上記技術課題を解決するために、本開示の実施例は、以下の技術手段を提供する。
第１方面において、本開示の実施例は、ＵＣＩ送信方法を提供する。この方法において、物理上り制御チャネルＰＵＣＣＨと物理上り共有チャネルＰＵＳＣＨとが時間的に重なりがある場合、パラメータとしての上りデータスケジューリングタイプ、上り搬送波の数値的特徴のうちの少なくとも１つに基づいて、ＰＵＳＣＨを選択してＵＣＩを搬送して送信するステップを含む。
【０００７】
第２方面において、本開示の実施例は、ユーザ端末を提供する。このユーザ端末は、物理上り制御チャネルＰＵＣＣＨと物理上り共有チャネルＰＵＳＣＨとが時間的に重なりがある場合、パラメータとしての上りデータスケジューリングタイプ、上り搬送波の数値的特徴のうちの少なくとも１つに基づいて、ＰＵＳＣＨを選択してＵＣＩを搬送して送信するための送信モジュールを含む。
【０００８】
第３方面において、本開示の実施例は、メモリと、プロセッサと、メモリに記憶され、プロセッサで動作可能なコンピュータプログラムとを含むユーザ端末を提供する。前記コンピュータプログラムが前記プロセッサによって実行されると、上記のＵＣＩ送信方法のステップが実現される。
【０００９】
第４方面において、本開示の実施例は、コンピュータプログラムが記憶されているコンピュータ読み取り可能な記憶媒体を提供する。前記コンピュータプログラムがプロセッサによって実行されると、上記のＵＣＩ送信方法のステップが実現される。
【発明の効果】
【００１０】
上記手段において、上りデータスケジューリングタイプ及び上り搬送波の数値的特徴に基づいて、適切な搬送波のＰＵＳＣＨを選択してＵＣＩを搬送して送信し、ＵＥが複数の候補のＰＵＳＣＨ送信がある場合に最適なＰＵＳＣＨを選択してＵＣＩを搬送することをサポートすることができる。これにより、上り送信遅延を低減し、ＵＣＩの送信信頼度を向上し、ＵＥ側の符号化及びＰＵＳＣＨ多重化の複雑度を低減し、ＵＥのピーク対平均比を低減することができる。一方、ＵＣＩの多重化によるＵＲＬＬＣトラフィックへの影響も回避し、ＵＲＬＬＣの上りデータの処理遅延を低減し、ＵＲＬＬＣの上りデータに対する基地局のブラインド検出を回避し、ＵＲＬＬＣの上りデータのコードレートを低下させずに維持する。
【図面の簡単な説明】
【００１１】
【図１】本開示の実施例のＵＣＩ送信方法のフローチャートである。
【図２】〜［図１１］本開示の実施例のＰＵＳＣＨ選択の概略図である。
【図１２】本開示の一部実施例のユーザ端末の構造ブロック図である。
【図１３】本開示の実施例のユーザ端末の構成概略図である。
【発明を実施するための形態】
【００１２】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、本開示の保護範囲に属するものである。
【００１３】
本開示の実施例は、ＵＥが複数の候補のＰＵＳＣＨ送信がある場合に最適なＰＵＳＣＨを選択してＵＣＩを搬送することをサポートし、システムの処理遅延を低減し、ＵＥのピーク対平均比を低減することができるＵＣＩ送信方法及びユーザ端末を提供する。
【００１４】
本開示の実施例は、ＵＣＩ送信方法を提供し、図１に示すように、ＰＵＣＣＨとＰＵＳＣＨとが時間的に重なりがある場合、パラメータとしての上りデータスケジューリングタイプ、上り搬送波の数値的特徴のうちの少なくとも１つに基づいて、ＰＵＳＣＨを選択してＵＣＩを搬送して送信するステップ１０１を含む。
【００１５】
ここで、上り搬送波の数値的特徴とは、サブキャリア間隔やシンボル長も指す。本開示の実施例は、ＰＵＳＣＨを多重化してＵＣＩを送信する方法を提供し、具体的には、上りデータスケジューリングタイプ、上り搬送波の数値的特徴（ｎｕｍｅｒｏｌｏｇｙ）、サブキャリア間隔（ｓｕｂｃａｒｒｉｅｒ  ｓｐａｃｉｎｇ、ＳＣＳ）、又はシンボル長（ｓｙｍｂｏｌ  ｄｕｒａｔｉｏｎ）に基づいて、適切な搬送波のＰＵＳＣＨを選択してＵＣＩを搬送して送信する。
【００１６】
本開示の実施例において、上りデータスケジューリングタイプ及び上り搬送波の数値的特徴に基づいて、適切な搬送波のＰＵＳＣＨを選択してＵＣＩを搬送して送信し、ＵＥが複数の候補のＰＵＳＣＨ送信がある場合に最適なＰＵＳＣＨを選択してＵＣＩを搬送することをサポートすることができる。また、上り送信遅延を低減し、ＵＣＩの送信信頼度を向上し、ＵＥ側の符号化及びＰＵＳＣＨ多重化の複雑度を低減し、ＵＥのピーク対平均比を低減することができる。一方、ＵＣＩの多重化によるＵＲＬＬＣトラフィックへの影響も回避し、ＵＲＬＬＣの上りデータの処理遅延を低減し、ＵＲＬＬＣの上りデータに対する基地局のブラインド検出を回避し、ＵＲＬＬＣの上りデータのコードレートを低下させずに維持する。
【００１７】
具体的には、ＵＥが複数のサービングセル（ｓｅｒｖｉｎｇ  ｃｅｌｌ）又は上り搬送波（ｃａｒｒｉｅｒ）、又は補助上り搬送波（ｓｕｐｐｌｅｍｅｎｔａｒｙ  ｕｐｌｉｎｋ、ＳＵＬ）を配置し、且つＰＵＣＣＨとＰＵＳＣＨが同時に送信されない場合、ＵＥがＰＵＣＣＨを送信する必要がある場合、ＵＥは、ＰＵＳＣＨを選択してＰＵＣＣＨを多重化してＵＣＩを送信する必要がある。
【００１８】
まず、ＰＵＣＣＨ送信のスロット（ｓｌｏｔ）内で、ＰＵＣＣＨとＰＵＳＣＨが重なるか否かを判断する必要がある、前記パラメータの少なくとも１つに基づいて、ＰＵＳＣＨを選択してＵＣＩを搬送して送信するステップの前に、前記方法は、ＰＵＣＣＨ送信のスロット内で、ＰＵＣＣＨとＰＵＳＣＨとが時間的に重なりがあるか否かを判断することを更に含む。
【００１９】
判定方法として、以下の方法を含む。
【００２０】
方法１：シンボルに基づく重なり判断。
ＰＵＳＣＨとＰＵＣＣＨを基準搬送波にマッピングし、数値的特徴の相違に基づいて、ＰＵＳＣＨ及びＰＵＣＣＨをスケーリングし、選択可能に、ＰＵＣＣＨが存在する搬送波を基準搬送波とする。
【００２１】
例えば、ＰＵＣＣＨのＳＣＳは、１５ｋＨｚであり、ＰＵＳＣＨのＳＣＳは、３０ｋＨｚである。ＰＵＣＣＨが存在する搬送波を基準搬送波とすると、１４シンボル長のＰＵＳＣＨは、ＰＵＣＣＨが存在する搬送波に７シンボル長でマッピングされる。
【００２２】
図２は、ＳＣＳが３０ｋＨｚ、スロットインデックス（ｓｌｏｔ  ｉｎｄｅｘ）が１のＰＵＳＣＨを、ＳＣＳが１５ｋＨｚ、ｓｌｏｔ  ｉｎｄｅｘが０のＰＵＣＣＨが存在する搬送波にマッピングする概略図である。ここでｓｌｏｔ  ｉｎｄｅｘは、スロット番号であり、ｓｙｍｂｏｌ  ｉｎｄｅｘは、シンボル番号である。
【００２３】
ＰＵＳＣＨ及びＰＵＣＣＨを基準搬送波にマッピングした後、ＰＵＣＣＨのシンボルの開始位置と長さ、及びマッピング後のＰＵＳＣＨのシンボルの開始位置と長さに基づいて、ＰＵＣＣＨとＰＵＳＣＨとが時間的に重なりがあるか否かを判断する。
【００２４】
方法２：ｓｌｏｔに基づいて重なり判断。
本方法は、ＰＵＣＣＨの数値的特徴に基づいて、ＰＵＣＣＨをスケーリングして各ＰＵＳＣＨが存在する搬送波にマッピングし、マッピング後のＰＵＣＣＨのシンボルの開始位置及び長さが、ＰＵＳＣＨが存在するスロットと部分的又は完全に重なっていれば、両者に重なりがあるとみなす。
【００２５】
ここで、判断方法の選択は、プロトコルで予め定義しておいてもよいし、上位層のパラメータで配置してもよい。
【００２６】
ＰＵＣＣＨとＰＵＳＣＨが重なるか否かを判断した後、ＰＵＣＣＨとＰＵＳＣＨに重なりがなければ、ＵＣＩは、引き続きＰＵＣＣＨで送信される。ＰＵＣＣＨとＰＵＳＣＨが時間的に重なる場合、次のようにＰＵＳＣＨを選択してＵＣＩを搬送して送信する。
【００２７】
（１）前記上りデータスケジューリングタイプは、下り制御情報（ＤＣＩ）によるスケジューリングを含む。ＰＵＳＣＨが下り制御情報（ｄｏｗｎｌｉｎｋ  ｃｏｎｔｒｏｌ  ｉｎｆｏｒｍａｔｉｏｎ、ＤＣＩ）によってスケジューリングされ、且つこのＤＣＩが非周期チャネル状態情報（ａｐｅｒｉｏｄｉｃ  ｃｈａｎｎｅｌ  ｓｔａｔｅ  ｉｎｆｏｒｍａｔｉｏｎ、Ａ−ＣＳＩ）又は半静的チャネル状態情報（ｓｅｍｉ−ｐｅｒｓｉｓｔｅｎｔ  ｃｈａｎｎｅｌ  ｓｔａｔｅ  ｉｎｆｏｒｍａｔｉｏｎ、ＳＰ−ＣＳＩ）の報告を指示する場合、このＤＣＩによってスケジューリングされたＰＵＳＣＨを多重化し、前記ＰＵＳＣＨを選択してＵＣＩを搬送して送信する。
【００２８】
（２）前記上り搬送波の数値的特徴は、伝送開始時点を含み、マッピング後のＰＵＳＣＨとＰＵＣＣＨの開始シンボル位置を比較する。
ＰＵＳＣＨの開始シンボルサブスクリプトがＰＵＣＣＨの開始シンボルサブスクリプト以上である場合、このＰＵＳＣＨを多重化してＵＣＩ伝送を行う。すなわち、ＰＵＳＣＨの伝送開始時点がＰＵＣＣＨの伝送開始時点と同じか、又はＰＵＳＣＨの伝送開始時点がＰＵＣＣＨの伝送開始時点よりも後である場合、前記ＰＵＳＣＨを多重化してＵＣＩを送信することを選択する。
【００２９】
（３）前記上りデータスケジューリングタイプは、グラントフリー又は配置スケジューリングを含む。ＰＵＳＣＨの開始シンボルサブスクリプトがＰＵＣＣＨの開始シンボルサブスクリプト以上でない場合、すなわち、ＰＵＳＣＨの伝送開始時点がＰＵＣＣＨの伝送開始時点よりも前である場合、重なったＰＵＳＣＨのうち少なくとも１つがグラントフリー（ｇｒａｎｔ−ｆｒｅｅ）又は配置スケジューリング（ｃｏｎｆｉｇｕｒｅｄ  ｓｃｈｅｄｕｌｉｎｇ）のＰＵＳＣＨであると、ＰＵＣＣＨの重なった部分をパンクチャリング（ｐｕｎｃｔｕｒｅ）するか、又はＵＣＩ全体を破棄する。それ以外の場合、このＰＵＣＣＨを伝送し、ＰＵＳＣＨの重なった部分を伝送しないか（例えば、パンクチャリング又はレートマッチング）、又はＰＵＳＣＨ全体を破棄する。
【００３０】
（４）ＰＵＳＣＨを多重化してＵＣＩを送信することが決定され、且つＰＵＣＣＨと時間的に重なるＰＵＳＣＨが複数存在してＵＣＩの搬送及び送信に利用可能である場合、以下の方式のうちの少なくとも１つに基づいて、ＵＣＩを搬送するＰＵＳＣＨを選択する。
ａ．非グラントフリー又は配置スケジューリングのＰＵＳＣＨを優先的に選択する。すなわち、グラントフリー又は配置スケジューリングのＰＵＳＣＨ以外のＰＵＳＣＨを選択してＵＣＩを搬送する。
ｂ．前記上り搬送波の数値的特徴にＵＣＩのコードレートを更に含む場合、ネットワーク側から配置又は指示されたβオフセット値（Ｂｅｔａ  ｏｆｆｓｅｔ）の重みに応じて、ＵＣＩを搬送した後のＵＣＩのコードレートが最も低いＰＵＳＣＨを選択してＵＣＩを搬送する。
ｃ．前記上り搬送波の数値的特徴に伝送終了時点を更に含む場合、マッピング後のＰＵＳＣＨとＰＵＣＣＨの終了シンボルサブスクリプトに基づいて、終了シンボルサブスクリプトが最も小さいＰＵＳＣＨを選択してＵＣＩ伝送を行う。すなわち、伝送終了時点が最も早いＰＵＳＣＨを選択してＵＣＩを搬送する。
ｄ．重なりのあるＰＵＳＣＨは、ＰＵＣＣＨが存在するセル又は搬送波で伝送する場合、このＰＵＳＣＨを多重化してＵＣＩを伝送する。
ｅ．前記上り搬送波の数値的特徴にセル又は搬送波のサブスクリプトを更に含む場合、サブスクリプトが最も小さいセル又は搬送波上のＰＵＳＣＨを選択し、このＰＵＳＣＨを多重化してＵＣＩの伝送を行う。
ｆ．前記上り搬送波の数値的特徴にＰＵＳＣＨのデータ部分等価コードレートと制御ビットを更に含む場合、ＵＣＩを搬送した後のＰＵＳＣＨのデータ部分等価コードレートが最も低いか、又は制御ビットオーバーヘッドが最も少ないＰＵＳＣＨを選択してＵＣＩを搬送する。
ｇ．前記上り搬送波の数値的特徴に伝送終了時点を更に含み、且つＰＵＣＣＨと重なるＰＵＳＣＨが複数存在してＵＣＩの搬送に利用可能である場合、伝送開始時点がＰＵＣＣＨの伝送開始時点と同一であり、且つ伝送終了時点が最も早いＰＵＳＣＨを選択してＵＣＩを搬送する。
【００３１】
以下、具体例に関連して本開示のＵＣＩ送信方法を詳細に説明する。
【００３２】
具体例１
図３は、１つの長いＰＵＣＣＨフォーマットがＰＵＳＣＨと同時に存在する例である。上記のＰＵＣＣＨとＰＵＳＣＨが重なるか否かを判断する方式によって、そのうちのＰＵＳＣＨ−３は、ＰＵＣＣＨと重ならず、ＰＵＳＣＨ−１とＰＵＳＣＨ−２は、共にＰＵＣＣＨと重なると判断できる。伝送する場合、ＰＵＳＣＨ−３は、単独で伝送され、ＰＵＣＣＨは、伝送されず、ＵＣＩは、ＰＵＳＣＨ−１に多重化されて伝送される。
【００３３】
図４は、１つの短いＰＵＣＣＨフォーマットがＰＵＳＣＨと同時に存在する例である。上記のＰＵＣＣＨとＰＵＳＣＨが重なるか否かを判断する方式によって、そのうちのＰＵＳＣＨ−２は、ＰＵＣＣＨと重なるが、ＰＵＳＣＨ−１とＰＵＳＣＨ−３は、いずれもＰＵＣＣＨと重ならないと判断できる。伝送する場合、ＰＵＳＣＨ−１とＰＵＳＣＨ−３は、単独で伝送され、ＰＵＣＣＨは、伝送されず、ＵＣＩは、ＰＵＳＣＨ−２に多重化されて伝送される。
【００３４】
具体例２
図５に示すように、ＰＵＣＣＨが複数のＰＵＳＣＨと重なる場合、ＰＵＣＣＨは、伝送されず、ＰＵＳＣＨ−２の開始シンボルサブスクリプトとＰＵＣＣＨの開始シンボルサブスクリプトが等しく、且つ終了シンボルサブスクリプトがＰＵＳＣＨ−１より小さいので、ＰＵＳＣＨ−２を多重化してＵＣＩを伝送することが選択される。これにより、ＵＣＩの伝送遅延を小さくすることができ、エアインタフェースの伝送遅延を低減することができる。
【００３５】
具体例３
図６に示すように、ＰＵＳＣＨ−２が、配置スケジューリングのＰＵＳＣＨとして配置され、低遅延高信頼性（Ｕｌｔｒａ  Ｒｅｌｉａｂｌｅ  Ｌｏｗ  Ｌａｔｅｎｃｙ  Ｃｏｍｍｕｎｉｃａｔｉｏｎｓ、ＵＲＬＬＣ）トラフィックの伝送に用いられる場合、非ｃｏｎｆｉｇｕｒｅｄ  ｓｃｈｅｄｕｌｉｎｇであるＰＵＳＣＨ−１を優先的に選択し、ＰＵＳＣＨ−１を多重化してＵＣＩの伝送を行う。これにより、ＰＵＳＣＨ−２の多重化によるＵＣＩ伝送のＵＲＬＬＣトラフィックへの影響を回避し、ＵＲＬＬＣの上りデータの処理遅延を低減し、ＵＲＬＬＣの上りデータに対する基地局等のネットワーク側機器によるブラインド検出を回避し、ＵＲＬＬＣの上りデータのコードレートを低下させずに維持することができる。
【００３６】
具体例４
図７に示すように、ＰＵＣＣＨが複数のＰＵＳＣＨと重なり、そのうちのＰＵＳＣＨ−２がＤＣＩによってスケジューリングされ、且つＡ−ＣＳＩ報告をトリガするように、このＤＣＩによりＵＥに指示する場合、このＤＣＩによってスケジューリングされたＰＵＳＣＨ−２を多重化してＵＣＩを伝送することを選択する。
【００３７】
具体例５
図８に示すように、ＰＵＣＣＨが複数のＰＵＳＣＨと重なり、且つマッピングされて重なったＰＵＳＣＨの開始シンボルサブスクリプトがＰＵＣＣＨの開始シンボルサブスクリプトより小さい場合、その重なったＰＵＳＣＨを破棄する。
【００３８】
図９に示すように、重なったＰＵＳＣＨ−２が配置スケジューリングのＰＵＳＣＨであれば、このＵＣＩを破棄する。
【００３９】
具体例６
図１０に示すように、ＰＵＣＣＨが複数のＰＵＳＣＨと重なる場合、ネットワーク側機器から指示されたβオフセット値（Ｂｅｔａ  ｏｆｆｓｅｔ）の重みに応じて、ＰＵＳＣＨを多重化してＵＣＩを送信した後のＵＣＩのコードレートが最も低いＰＵＳＣＨ、すなわちＰＵＳＣＨ−２を選択してＵＣＩを伝送する。これにより、ＵＣＩの伝送信頼性を保証することができる。
【００４０】
具体例７
図１１に示すように、ＰＵＣＣＨが複数のＰＵＳＣＨと重なり、且つ上記の多様な条件選択を経た後、依然として複数の候補のＰＵＳＣＨが存在する場合、サブスクリプトが最も小さいセル又は搬送波のＰＵＳＣＨを選択し、すなわちＰＵＳＣＨ−１を多重化してＵＣＩを伝送する。それにより、ＵＥ側の符号化及びＰＵＳＣＨ多重化の複雑度を低減することができる。
【００４１】
本開示の実施例は、ユーザ端末を更に提供する。図１２に示すように、ユーザ端末は、ＰＵＣＣＨとＰＵＳＣＨとが時間的に重なりがある場合、上りデータスケジューリングタイプ、パラメータとしての上り搬送波の数値的特徴のうちの少なくとも１つに基づいて、ＰＵＳＣＨを選択してＵＣＩを搬送して送信するための送信モジュール２１を含む。
【００４２】
本開示の実施例において、上りデータスケジューリングタイプ及び上り搬送波の数値的特徴に基づいて、適切な搬送波のＰＵＳＣＨを選択してＵＣＩを搬送して送信し、ＵＥが複数の候補のＰＵＳＣＨ送信がある場合に最適なＰＵＳＣＨを選択してＵＣＩを搬送することをサポートすることができ、上り送信遅延を低減し、ＵＣＩの送信信頼度を向上し、ＵＥ側の符号化及びＰＵＳＣＨ多重化の複雑度を低減し、ＵＥのピーク対平均比を低減することができる。一方、ＵＣＩの多重化によるＵＲＬＬＣトラフィックへの影響も回避し、ＵＲＬＬＣの上りデータの処理遅延を低減し、ＵＲＬＬＣの上りデータに対する基地局のブラインド検出を回避し、ＵＲＬＬＣの上りデータのコードレートを低下させずに維持する。
【００４３】
更に、図１２に示すように、ＰＵＣＣＨ送信のスロット内で、ＰＵＣＣＨとＰＵＳＣＨとが時間的に重なりがあるか否かを判断するための処理モジュール２２を更に含む。
【００４４】
更に、前記処理モジュール２２は、ＰＵＣＣＨとＰＵＳＣＨを基準搬送波にマッピングし、前記上り搬送波の数値的特徴に基づいて、ＰＵＳＣＨ及びＰＵＣＣＨをスケーリングするための第１マッピングユニットと、マッピング後のＰＵＣＣＨのシンボルの開始位置と長さ、及びマッピング後のＰＵＳＣＨのシンボルの開始位置と長さに基づいて、ＰＵＣＣＨとＰＵＳＣＨとが時間的に重なりがあるか否かを判断するための第１判断ユニットとを含む。
【００４５】
選択可能に、前記基準搬送波は、ＰＵＣＣＨが存在する搬送波である。
【００４６】
更に、前記処理モジュール２２は、ＰＵＣＣＨの数値的特徴に基づいてＰＵＣＣＨをスケーリングする。各ＰＵＳＣＨが存在する搬送波にマッピングするための第２マッピングユニットと、マッピング後のＰＵＣＣＨのシンボルの開始位置と長さが、ＰＵＳＣＨが存在するスロットと少なくとも部分的に重なる場合、前記処理モジュール２２は、ＰＵＣＣＨとＰＵＳＣＨとが時間的に重なりがあると判断するための第２判断ユニットとを含む。
【００４７】
更に、前記上りデータスケジューリングタイプは、下り制御情報ＤＣＩによるスケジューリングを含む。前記送信モジュール２１は、具体的には、ＰＵＳＣＨがＤＣＩによってスケジューリングされ、且つこのＤＣＩが非周期チャネル状態情報又は半静的チャネル状態情報の報告を指示する場合、前記ＰＵＳＣＨを選択してＵＣＩを搬送して送信することに用いられる。
【００４８】
更に、前記上り搬送波の数値的特徴は、伝送開始時点を含む。前記送信モジュール２１は、具体的には、ＰＵＳＣＨの伝送開始時点がＰＵＣＣＨの伝送開始時点と同じであり、又は、ＰＵＳＣＨの伝送開始時点がＰＵＣＣＨの伝送開始時点よりも後である場合、前記ＰＵＳＣＨを多重化してＵＣＩを送信することを選択することに用いられる。
【００４９】
更に、前記上りデータスケジューリングタイプは、グラントフリー又は配置スケジューリングを含む。前記送信モジュールは、具体的には、ＰＵＳＣＨの伝送開始時点がＰＵＣＣＨの伝送開始時点よりも前である場合、重なったＰＵＳＣＨのうちの少なくとも１つがグラントフリー又は配置スケジューリングのＰＵＳＣＨであると、ＰＵＣＣＨの重なった部分をパンクチャリングし又は前記ＵＣＩを破棄し、重なったＰＵＳＣＨにグラントフリー又は配置スケジューリングのＰＵＳＣＨが存在しないと、前記ＰＵＣＣＨを伝送し、前記ＰＵＳＣＨの重なった部分の伝送を破棄し又はＰＵＳＣＨ全体を破棄することに用いられる。
【００５０】
更に、前記送信モジュールは、以下のうちの少なくとも１つに基づいて、ＵＣＩを搬送するＰＵＳＣＨを選択することに用いられる。
・前記ＰＵＳＣＨを多重化してＵＣＩを送信することを選択し、且つＰＵＣＣＨと重なるＰＵＳＣＨが複数存在してＵＣＩの搬送に利用可能である場合、グラントフリー又は配置スケジューリングのＰＵＳＣＨ以外のＰＵＳＣＨを選択してＵＣＩを搬送する
・前記上り搬送波の数値的特徴にＵＣＩのコードレートを更に含む場合、ネットワーク側から配置又は指示されたβオフセット値の重みに応じて、ＵＣＩを搬送した後のＵＣＩのコードレートが最も低いＰＵＳＣＨを選択してＵＣＩを搬送する
・前記上り搬送波の数値的特徴にＰＵＳＣＨのデータ部分等価コードレートと制御ビットを更に含む場合、ＵＣＩを搬送した後のＰＵＳＣＨのデータ部分等価コードレートが最も低いか、又は制御ビットオーバーヘッドが最も少ないＰＵＳＣＨを選択してＵＣＩを搬送する
・前記上り搬送波の数値的特徴に伝送終了時点を更に含む場合、伝送終了時点が最も早いＰＵＳＣＨを選択してＵＣＩを搬送する
・重なりのあるＰＵＳＣＨが、ＰＵＣＣＨが存在するセル又は搬送波で伝送する場合、前記重なりのあるＰＵＳＣＨを選択してＵＣＩを搬送する
・前記上り搬送波の数値的特徴にセル又は搬送波のサブスクリプトを更に含む場合、サブスクリプトが最も小さいセル又は搬送波上のＰＵＳＣＨを選択してＵＣＩを搬送する
・前記上り搬送波の数値的特徴に伝送終了時点を更に含み、且つＰＵＣＣＨと重なるＰＵＳＣＨが複数存在してＵＣＩの搬送に利用可能である場合、伝送開始時点がＰＵＣＣＨの伝送開始時点と同一であり、且つ伝送終了時点が最も早いＰＵＳＣＨを選択してＵＣＩを搬送する
【００５１】
本開示の実施例は、メモリと、プロセッサと、メモリに記憶され、プロセッサで動作可能なコンピュータプログラムとを含むユーザ端末を更に提供する。前記コンピュータプログラムが前記プロセッサによって実行されると、上記のＵＣＩ送信方法のステップが実現される。
【００５２】
図１３は、本開示の各実施例を実現する一種のユーザ端末のハードウェア構造を示す図である。図１３を参照し、このユーザ端末３００は、ラジオ周波数ユニット３０１と、ネットワークモジュール３０２と、音声出力ユニット３０３と、入力ユニット３０４と、センサ３０５と、表示ユニット３０６と、ユーザ入力ユニット３０７と、インタフェースユニット３０８と、メモリ３０９と、プロセッサ３１０と、電源３１１などの構成要素を含むが、これらに限定されない。図１３に示されるユーザ端末の構造は、端末を限定するものではなく、端末は、図示されるよりも多い又は少ない構成要素を含むことができ、又は一部の構成要素を組み合わせることができ、又は異なる構成要素の構成を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００５３】
ここで、プロセッサ３１０は、ＰＵＣＣＨとＰＵＳＣＨとが時間的に重なりがある場合、パラメータとしての上りデータスケジューリングタイプ、上り搬送波の数値的特徴のうちの少なくとも１つに基づいて、ＰＵＳＣＨを選択してＵＣＩを搬送して送信することに用いられる。
【００５４】
更に、プロセッサ３１０は、ＰＵＣＣＨ送信のスロット内で、ＰＵＣＣＨとＰＵＳＣＨとが時間的に重なりがあるか否かを判断することに用いられる。
【００５５】
更に、プロセッサ３１０は、具体的には、ＰＵＣＣＨとＰＵＳＣＨを基準搬送波にマッピングし、前記上り搬送波の数値的特徴に基づいて、ＰＵＳＣＨ及びＰＵＣＣＨをスケーリングすることと、マッピング後のＰＵＣＣＨのシンボルの開始位置と長さ、及びマッピング後のＰＵＳＣＨのシンボルの開始位置と長さに基づいて、ＰＵＣＣＨとＰＵＳＣＨとが時間的に重なりがあるか否かを判断することとに用いられる。
【００５６】
選択可能に、前記基準搬送波は、ＰＵＣＣＨが存在する搬送波である。
【００５７】
更に、プロセッサ３１０は、具体的には、ＰＵＣＣＨの数値的特徴に基づいてＰＵＣＣＨをスケーリングし、各ＰＵＳＣＨが存在する搬送波にマッピングすることと、マッピング後のＰＵＣＣＨのシンボルの開始位置と長さが、ＰＵＳＣＨが存在するスロットと少なくとも部分的に重なる場合、ＰＵＣＣＨとＰＵＳＣＨとが時間的に重なりがあると判断することとに用いられる。
【００５８】
更に、前記上りデータスケジューリングタイプは、下り制御情報ＤＣＩによるスケジューリングを含む。プロセッサ３１０は、具体的には、ＰＵＳＣＨがＤＣＩによってスケジューリングされ、且つこのＤＣＩが非周期チャネル状態情報又は半静的チャネル状態情報の報告を指示する場合、前記ＰＵＳＣＨを選択してＵＣＩを搬送して送信することに用いられる。
【００５９】
更に、前記上り搬送波の数値的特徴は、伝送開始時点を含む。プロセッサ３１０は、具体的には、ＰＵＳＣＨの伝送開始時点がＰＵＣＣＨの伝送開始時点と同じであり、又は、ＰＵＳＣＨの伝送開始時点がＰＵＣＣＨの伝送開始時点よりも後である場合、前記ＰＵＳＣＨを多重化してＵＣＩを送信することを選択することに用いられる。
【００６０】
更に、前記上りデータスケジューリングタイプは、グラントフリー又は配置スケジューリングを含む。プロセッサ３１０は、具体的には、ＰＵＳＣＨの伝送開始時点がＰＵＣＣＨの伝送開始時点よりも前である場合、重なったＰＵＳＣＨのうちの少なくとも１つがグラントフリー又は配置スケジューリングのＰＵＳＣＨであると、ＰＵＣＣＨの重なった部分をパンクチャリングするか又は前記ＵＣＩを破棄し、重なったＰＵＳＣＨにグラントフリー又は配置スケジューリングのＰＵＳＣＨが存在しないと、前記ＰＵＣＣＨを伝送し、前記ＰＵＳＣＨの重なった部分の伝送を破棄するか又はＰＵＳＣＨ全体を破棄することに用いられる。
【００６１】
更に、プロセッサ３１０は、以下のうちの少なくとも１つに基づいて、ＵＣＩを搬送するＰＵＳＣＨを選択することに用いられる。
・前記ＰＵＳＣＨを多重化してＵＣＩを送信することを選択し、且つＰＵＣＣＨと重なるＰＵＳＣＨが複数存在してＵＣＩの搬送に利用可能である場合、グラントフリー又は配置スケジューリングのＰＵＳＣＨ以外のＰＵＳＣＨを選択してＵＣＩを搬送する
・前記上り搬送波の数値的特徴にＵＣＩのコードレートを更に含む場合、ネットワーク側から配置又は指示されたβオフセット値の重みに応じて、ＵＣＩを搬送した後のＵＣＩのコードレートが最も低いＰＵＳＣＨを選択してＵＣＩを搬送する
・前記上り搬送波の数値的特徴にＰＵＳＣＨのデータ部分等価コードレートと制御ビットを更に含む場合、ＵＣＩを搬送した後のＰＵＳＣＨのデータ部分等価コードレートが最も低いか、又は制御ビットオーバーヘッドが最も少ないＰＵＳＣＨを選択してＵＣＩを搬送する
・前記上り搬送波の数値的特徴に伝送終了時点を更に含む場合、伝送終了時点が最も早いＰＵＳＣＨを選択してＵＣＩを搬送する
・重なりのあるＰＵＳＣＨが、ＰＵＣＣＨが存在するセル又は搬送波で伝送する場合、前記重なりのあるＰＵＳＣＨを選択してＵＣＩを搬送する
・前記上り搬送波の数値的特徴にセル又は搬送波のサブスクリプトを更に含む場合、サブスクリプトが最も小さいセル又は搬送波上のＰＵＳＣＨを選択してＵＣＩを搬送する
・前記上り搬送波の数値的特徴に伝送終了時点を更に含み、且つＰＵＣＣＨと重なるＰＵＳＣＨが複数存在してＵＣＩの搬送に利用可能である場合、伝送開始時点がＰＵＣＣＨの伝送開始時点と同一であり、且つ伝送終了時点が最も早いＰＵＳＣＨを選択してＵＣＩを搬送する
【００６２】
なお、本開示の実施例において、ラジオ周波数ユニット３０１は、情報の送受信又は通話中で信号の送受信に用いられ、具体的に、基地局からの下りデータを受信して、プロセッサ３１０による処理にし、また、上りデータを基地局に送信する。一般に、ラジオ周波数ユニット３０１は、アンテナ、少なくとも１つの増幅器、トランシーバ、結合器、低雑音増幅器、デュプレクサなどを含むが、それらに限定されない。また、ラジオ周波数ユニット３０１は、無線通信システムを介してネットワークや他の機器と通信を行うこともできる。
【００６３】
端末は、ネットワークモジュール３０２を介して、電子メールの送受信、ウェブページの閲覧、ストリーミングメディアへのアクセスを支援するなど、無線ブロードバンドインターネットアクセスをユーザに提供する。
【００６４】
音声出力ユニット３０３は、ラジオ周波数ユニット３０１やネットワークモジュール３０２が受信した音声データや、メモリ３０９に記憶された音声データを音声信号に変換して音声として出力することができる。また、音声出力ユニット３０３は、ユーザ端末３００が実行する特定の機能に関する音声（例えば、呼出信号着信音、メッセージ着信音等）を出力してもよい。音声出力ユニット３０３は、スピーカ、ブザー及びレシーバなどを含む。
【００６５】
入力ユニット３０４は、音声や映像の信号を受信することに用いられる。入力ユニット３０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）３０４１と、マイク３０４２とを含む。処理された画像フレームは、表示ユニット３０６上に表示される。グラフィックスプロセッサ３０４１で処理された画像フレームは、メモリ３０９（又は他の記憶媒体）に記憶されるか、又はラジオ周波数ユニット３０１又はネットワークモジュール３０２を介して送信される。マイク３０４２は、音声を受信し、音声データに加工することができる。処理された音声データは、電話通話モードの場合、ラジオ周波数ユニット３０１を介して移動体通信基地局に送信可能な形式に変換して出力することができる。
【００６６】
ユーザ端末３００は、光センサ、モーションセンサ及び他のセンサのような少なくとも１つのセンサ３０５を更に含む。具体的には、光センサは、周辺光センサ及び近接センサを含む。周辺光センサは、周辺光の明暗に応じて表示パネル３０６１の輝度を調節し、近接センサは、ユーザ端末３００が耳に移動したときに表示パネル３０６１及び／又はバックライトを消灯する。モーションセンサの１種として、加速度計センサは、様々な方向（一般的には３軸）の加速度の大きさを検出でき、静止時に重力の大きさ及び方向を検出でき、端末姿勢の認識（例えば、縦横画面切替、関連ゲーム、磁力計姿勢キャリブレーション）、振動認識関連機能（たとえば、歩数計、ストローク）などに用いることができる。センサ３０５は、指紋センサ、圧力センサ、虹彩センサ、分子センサ、ジャイロスコープ、気圧計、湿度計、温度計、赤外線センサなどを更に含むことができるが、ここでは枚挙しない。
【００６７】
表示ユニット３０６は、ユーザが入力した情報やユーザに提供した情報を表示するために用いられる。表示ユニット３０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル３０６１を含んでもよい。
【００６８】
ユーザ入力ユニット３０７は、数字や文字情報の入力を受け付け、ユーザによる端末の設定や機能制御に関するキー信号の入力を行うことに用いられる。具体的に、ユーザ入力ユニット３０７は、タッチパネル３０７１と、その他の入力機器３０７２とを含む。タッチパネル３０７１は、タッチスクリーンとも呼ばれ、その上又は付近でのユーザのタッチ操作を取得可能である（たとえばユーザが指やスタイラスなどの任意の適切な物体や付属部材を用いたタッチパネル３０７１の上又はタッチパネル３０７１の付近での操作）。タッチパネル３０７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ３１０に送り、プロセッサ３１０からの命令を受信して実行する。なお、タッチパネル３０７１は、抵抗膜式（ resistive type）、静電容量式、赤外線、表面弾性波など、種々の方式を用いて実現することができる。ユーザ入力ユニット３０７は、タッチパネル３０７１の他に、他の入力機器３０７２を含んでもよい。具体的に、他の入力機器３０７２は、物理的なキーボード、機能キー（例えば、音量調節キー、スイッチキーなど）、トラックボール、マウス、レバーを含むが、ここでは枚挙しない。
【００６９】
更に、タッチパネル３０７１は、表示パネル３０６１に重ねられる。タッチパネル３０７１は、その上又はその近くでタッチ操作を検出すると、プロセッサ３１０に送信して、タッチイベントのタイプを決定する。次いで、プロセッサ３１０は、タッチイベントのタイプに応じて、対応する視覚的出力を表示パネル３０６１に提供する。図１３では、タッチパネル３０７１と表示パネル３０６１は、独立した２つの部品として端末の入出力機能を実現するが、実施例によっては、タッチパネル３０７１と表示パネル３０６１を一体化してユーザ端末の入出力機能を実現することもでき、具体的にここでは限定しない。
【００７０】
インタフェースユニット３０８は、外部装置とユーザ端末３００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット３０８は、外部装置から入力（たとえば、データ情報、電力など）を受信し、受信した入力をユーザ端末３００内の１つ以上の要素に伝送するために使用されてもよく、又はユーザ端末３００と外部装置との間でデータを伝送するために使用されてもよい。
【００７１】
メモリ３０９は、ソフトウェアプログラム及び様々なデータを格納するために使用される。メモリ３０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ３０９は、高速ランダムアクセスメモリを含んでもよく、少なくとも１つの磁気ディスク記憶装置、フラッシュメモリデバイス、又は他の揮発性固体記憶デバイスなどの非揮発性メモリを含んでもよい。
【００７２】
プロセッサ３１０は、端末の制御センタであり、各種インタフェースや回線を用いて端末全体の各部を接続し、メモリ３０９に格納されたソフトウェアプログラム及び／又はモジュールを実行したり、メモリ３０９に格納されたデータを呼び出して端末の各種機能及び処理データを実行し、端末全体の監視を行う。プロセッサ３１０は、１つ以上の処理ユニットを含んでもよい。選択可能に、プロセッサ３１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ３１０に統合されなくてもよいことが理解される。
【００７３】
ユーザ端末３００は、各構成要素に電力を供給するためのバッテリのような電源１１１を更に含んでもよい。選択可能に、電源３１１は、電源管理システムを介してプロセッサ３１０に論理的に接続されてもよく、電源管理システムを介して充電、放電、及び消費電力管理などを管理する機能を実現してもよい。
【００７４】
また、ユーザ端末３００は、図示しない機能モジュールを更に含んでもよく、ここでの説明は省略する。
【００７５】
本開示の実施例は、コンピュータプログラムが記憶されているコンピュータ読み取り可能な記憶媒体を更に提供する。前記コンピュータプログラムがプロセッサによって実行されると、上記のＵＣＩ送信方法のステップが実現される。
【００７６】
本開示のコンピュータ読み取り可能な記憶媒体は、揮発性のコンピュータ読み取り可能な記憶媒体又は非揮発性のコンピュータ読み取り可能な記憶媒体であり、又は、揮発性のコンピュータ読み取り可能な記憶媒体と非揮発性のコンピュータ読み取り可能な記憶媒体の両方である。
【００７７】
本明細書に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本願に記載の機能を実行するための電子ユニット又はそれらの組み合わせで実現される。
【００７８】
ソフトウェアによる実現について、本明細書に記載の機能を実行するモジュール（例えばプロセス、関数など）によって本明細書に記載の技術を実現することができる。ソフトウェアコードは、メモリに保存されてプロセッサによって実行される。メモリは、プロセッサの中又はプロセッサの外部で実現することができる。
【００７９】
本明細書における各実施例は、プログレッシブ方式で記載されており、各実施例について、ほかの実施例との相違点を主に説明し、各実施例の間の同一又は類似する部分は、互いに参照してよい。
【００８０】
本開示の実施例が、方法、装置、又はコンピュータプログラム製品として提供できることは、当業者には理解される。従って、本開示の実施例は、完全なハードウェア実施例、完全なソフトウェア実施例、又はソフトウェアとハードウェアを組み合わせた実施例の形態を採用できる。更に、本開示の実施例は、コンピュータ使用可能プログラムコードを含む１つ又は複数のコンピュータ使用可能記憶媒体（磁気ディスクメモリ、ＣＤ−ＲＯＭ、光学メモリなどを含むが、それに限られない）で実施されるコンピュータプログラム製品の形態を採用できる。
【００８１】
本開示の実施例は、本開示の実施例による方法、端末機器（システム）、及びコンピュータプログラム製品のフローチャート及び／又はブロック図を参照して説明される。フローチャート及び／又はブロック図の各フロー及び／又はブロック、並びにフローチャート及び／又はブロック図におけるフロー及び／又はブロックの組み合わせは、コンピュータプログラム命令によって実現されることが理解される。これらのコンピュータプログラム命令は、汎用コンピュータ、専用コンピュータ、組み込みプロセッサ、又は他のプログラマブル可能なデータ処理端末機器のプロセッサに提供されて、マシンを生成し、コンピュータ又は他のプログラマブル可能なデータ処理端末機器のプロセッサによって実行される命令が、フローチャートの１つのフロー若しくは複数のフロー及び／又はブロック図の１つのブロック若しくは複数のブロックにおいて指定される機能を実現するための手段を生成するようにしてもよい。
【００８２】
これらのコンピュータプログラム命令は、コンピュータ又は他のプログラマブル可能なデータ処理端末機器に特定の方法で機能するように指示することができるコンピュータ可読メモリに記憶されてもよい。その結果、コンピュータ読み取り可能なメモリに記憶された命令は、フローチャートの１つ若しくは複数の流れ、及び／又はブロック図の１つ若しくは複数のブロックにおいて指定された機能を実現する命令手段を含む製品を生成する。
【００８３】
これらのコンピュータプログラム命令は、コンピュータ又は他のプログラマブル可能な端末機器上で一連の動作ステップを実行してコンピュータ実現プロセスを生成し、それにより、コンピュータ又は他のプログラマブル可能な端末機器上で実行される命令が、フローチャートの１つのフロー若しくは複数のフロー及び／又はブロック図の１つのブロック若しくは複数のブロックにおいて指定される機能を実現するためのステップを提供するように、コンピュータ又は他のプログラム可能なデータ処理端末機器上にロードされてもよい。
【００８４】
本開示の実施例の選択可能な実施例を説明したが、当業者であれば、基本的な発明の概念を知ったら、これらの実施例に更なる変更及び修正を加えることができる。従って、添付の特許請求の範囲は、選択可能な実施例及び本開示の実施例の範囲内にある全ての変更及び修正を含むと解釈されることが意図される。
【００８５】
また、本明細書では、第１及び第２などの関係用語は、１つのエンティティ又は動作を別のエンティティ又は動作から区別するためにのみ使用され、そのようなエンティティ又は動作間に任意のそのような実際の関係又は順序が存在することを必ずしも要求又は示唆するものではないことを更に説明する。更に、「含む」、「有する」又はそれらの任意の他の変形は、非排他的包含を包含することを意図しており、それにより、一連の要素を含むプロセス、方法、物品、又は端末機器は、それらの要素だけでなく、明示的に列挙されていない他の要素も含み、又はそのようなプロセス、方法、物品、又は端末機器に固有の要素も含む。「……を含む」という語句によって定義される要素は、これ以上の限定がない限り、その要素を含むプロセス、方法、物品、又は端末機器における、さらなる同じ要素の存在を除外しない。
【００８６】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【図１】
2021513782.tif 000003
【図２】
2021513782.tif 000004
【図３】
2021513782.tif 000005
【図４】
2021513782.tif 000006
【図５】
2021513782.tif 000007
【図６】
2021513782.tif 000008
【図７】
2021513782.tif 000009
【図８】
2021513782.tif 000010
【図９】
2021513782.tif 000011
【図１０】
2021513782.tif 000012
【図１１】
2021513782.tif 000013
【図１２】
2021513782.tif 000014
【図１３】
2021513782.tif 000015
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
上り制御シグナリングＵＣＩ送信方法であって、
物理上り制御チャネルＰＵＣＣＨと物理上り共有チャネルＰＵＳＣＨとが時間的に重なりがある場合、パラメータとしての上りデータスケジューリングタイプ、上り搬送波の数値的特徴のうちの少なくとも１つに基づいて、ＰＵＳＣＨを選択してＵＣＩを搬送して送信するステップを含む、ＵＣＩ送信方法。
【請求項２】
前記パラメータの少なくとも１つに基づいて、ＰＵＳＣＨを選択してＵＣＩを搬送して送信するステップの前に、
ＰＵＣＣＨ送信のスロット内で、ＰＵＣＣＨとＰＵＳＣＨとが時間的に重なりがあるか否かを判断することを更に含む、請求項１に記載のＵＣＩ送信方法。
【請求項３】
前記ＰＵＣＣＨとＰＵＳＣＨとが時間的に重なりがあるか否かを判断することは、
ＰＵＣＣＨとＰＵＳＣＨを基準搬送波にマッピングし、前記上り搬送波の数値的特徴に基づいて、ＰＵＳＣＨ及びＰＵＣＣＨをスケーリングすることと、
マッピング後のＰＵＣＣＨのシンボルの開始位置と長さ、及びマッピング後のＰＵＳＣＨのシンボルの開始位置と長さに基づいて、ＰＵＣＣＨとＰＵＳＣＨとが時間的に重なりがあるか否かを判断することとを含む、請求項２に記載のＵＣＩ送信方法。
【請求項４】
前記基準搬送波は、ＰＵＣＣＨが存在する搬送波である、請求項３に記載のＵＣＩ送信方法。
【請求項５】
前記ＰＵＣＣＨとＰＵＳＣＨとが時間的に重なりがあるか否かを判断することは、
ＰＵＣＣＨの数値的特徴に基づいてＰＵＣＣＨをスケーリングし、各ＰＵＳＣＨが存在する搬送波にマッピングすることと、
マッピング後のＰＵＣＣＨのシンボルの開始位置と長さが、ＰＵＳＣＨが存在するスロットと少なくとも部分的に重なる場合、ＰＵＣＣＨとＰＵＳＣＨとが時間的に重なりがあると判断することとを含む、請求項２に記載のＵＣＩ送信方法。
【請求項６】
前記上りデータスケジューリングタイプは、下り制御情報ＤＣＩによるスケジューリングを含み、
前記ＰＵＳＣＨを選択してＵＣＩを搬送して送信するステップは、
ＰＵＳＣＨがＤＣＩによってスケジューリングされ、且つこのＤＣＩが非周期チャネル状態情報又は半静的チャネル状態情報の報告を指示する場合、前記ＰＵＳＣＨを選択してＵＣＩを搬送して送信することを含む、請求項１〜５のいずれか一項に記載のＵＣＩ送信方法。
【請求項７】
前記上り搬送波の数値的特徴は、伝送開始時点を含み、
前記ＰＵＳＣＨを選択してＵＣＩを搬送して送信するステップは、
ＰＵＳＣＨの伝送開始時点がＰＵＣＣＨの伝送開始時点と同じであり、又は、ＰＵＳＣＨの伝送開始時点がＰＵＣＣＨの伝送開始時点よりも後である場合、前記ＰＵＳＣＨを多重化してＵＣＩを送信することを選択することを含む、請求項１〜５のいずれか一項に記載のＵＣＩ送信方法。
【請求項８】
前記上りデータスケジューリングタイプは、グラントフリー又は配置スケジューリングを含み、
前記ＰＵＳＣＨを選択してＵＣＩを搬送して送信するステップは、
ＰＵＳＣＨの伝送開始時点がＰＵＣＣＨの伝送開始時点よりも前である場合、重なったＰＵＳＣＨのうちの少なくとも１つがグラントフリー又は配置スケジューリングのＰＵＳＣＨであると、ＰＵＣＣＨの重なった部分をパンクチャリングし又は前記ＵＣＩを破棄し、重なったＰＵＳＣＨにグラントフリー又は配置スケジューリングのＰＵＳＣＨが存在しないと、前記ＰＵＣＣＨを伝送し、前記ＰＵＳＣＨの重なった部分の伝送を破棄し又はＰＵＳＣＨ全体を破棄することを更に含む、請求項１〜５のいずれか一項に記載のＵＣＩ送信方法。
【請求項９】
前記ＰＵＳＣＨを多重化してＵＣＩを送信することを選択し、且つＰＵＣＣＨと重なるＰＵＳＣＨが複数存在してＵＣＩの搬送に利用可能である場合、
グラントフリー又は配置スケジューリングのＰＵＳＣＨ以外のＰＵＳＣＨを選択してＵＣＩを搬送すること、
前記上り搬送波の数値的特徴にＵＣＩのコードレートを更に含む場合、ネットワーク側から配置又は指示されたβオフセット値の重みに応じて、ＵＣＩを搬送した後のＵＣＩのコードレートが最も低いＰＵＳＣＨを選択してＵＣＩを搬送すること、
前記上り搬送波の数値的特徴にＰＵＳＣＨのデータ部分等価コードレートと制御ビットを更に含む場合、ＵＣＩを搬送した後のＰＵＳＣＨのデータ部分等価コードレートが最も低いか、又は制御ビットオーバーヘッドが最も少ないＰＵＳＣＨを選択してＵＣＩを搬送すること、
前記上り搬送波の数値的特徴に伝送終了時点を更に含む場合、伝送終了時点が最も早いＰＵＳＣＨを選択してＵＣＩを搬送すること、
重なりのあるＰＵＳＣＨが、ＰＵＣＣＨが存在するセル又は搬送波で伝送する場合、前記重なりのあるＰＵＳＣＨを選択してＵＣＩを搬送すること、
前記上り搬送波の数値的特徴にセル又は搬送波のサブスクリプトを更に含む場合、サブスクリプトが最も小さいセル又は搬送波上のＰＵＳＣＨを選択してＵＣＩを搬送すること、
前記上り搬送波の数値的特徴に伝送終了時点を更に含み、且つＰＵＣＣＨと重なるＰＵＳＣＨが複数存在してＵＣＩの搬送に利用可能である場合、伝送開始時点がＰＵＣＣＨの伝送開始時点と同一であり、且つ伝送終了時点が最も早いＰＵＳＣＨを選択してＵＣＩを搬送することのうち、少なくとも１つに基づいて、ＵＣＩを搬送するＰＵＳＣＨを選択する、請求項６〜８のいずれか一項に記載のＵＣＩ送信方法。
【請求項１０】
物理上り制御チャネルＰＵＣＣＨと物理上り共有チャネルＰＵＳＣＨとが時間的に重なりがある場合、パラメータとしての上りデータスケジューリングタイプ、上り搬送波の数値的特徴のうちの少なくとも１つに基づいて、ＰＵＳＣＨを選択してＵＣＩを搬送して送信するための送信モジュールを含む、ユーザ端末。
【請求項１１】
ＰＵＣＣＨ送信のスロット内で、ＰＵＣＣＨとＰＵＳＣＨとが時間的に重なりがあるか否かを判断するための処理モジュールを更に含む、請求項１０に記載のユーザ端末。
【請求項１２】
前記上りデータスケジューリングタイプは、下り制御情報ＤＣＩによるスケジューリングを含み、
前記送信モジュールは、具体的には、ＰＵＳＣＨがＤＣＩによってスケジューリングされ、且つこのＤＣＩが非周期チャネル状態情報又は半静的チャネル状態情報の報告を指示する場合、前記ＰＵＳＣＨを選択してＵＣＩを搬送して送信することに用いられる、請求項１０又は１１に記載のユーザ端末。
【請求項１３】
前記上り搬送波の数値的特徴は、伝送開始時点を含み、
前記送信モジュールは、具体的には、ＰＵＳＣＨの伝送開始時点がＰＵＣＣＨの伝送開始時点と同じであり、又は、ＰＵＳＣＨの伝送開始時点がＰＵＣＣＨの伝送開始時点よりも後である場合、前記ＰＵＳＣＨを多重化してＵＣＩを送信することを選択することに用いられる、請求項１０又は１１に記載のユーザ端末。
【請求項１４】
前記上りデータスケジューリングタイプは、グラントフリー又は配置スケジューリングを含み、
前記送信モジュールは、具体的には、ＰＵＳＣＨの伝送開始時点がＰＵＣＣＨの伝送開始時点よりも前である場合、重なったＰＵＳＣＨのうちの少なくとも１つがグラントフリー又は配置スケジューリングのＰＵＳＣＨであると、ＰＵＣＣＨの重なった部分をパンクチャリングし又は前記ＵＣＩを破棄し、重なったＰＵＳＣＨにグラントフリー又は配置スケジューリングのＰＵＳＣＨが存在しないと、前記ＰＵＣＣＨを伝送し、前記ＰＵＳＣＨの重なった部分の伝送を破棄し又はＰＵＳＣＨ全体を破棄することに用いられる、請求項１０又は１１に記載のユーザ端末。
【請求項１５】
前記ＰＵＳＣＨを多重化してＵＣＩを送信することを選択し、且つＰＵＣＣＨと重なるＰＵＳＣＨが複数存在してＵＣＩの搬送に利用可能である場合、
前記送信モジュールは、具体的には、
グラントフリー又は配置スケジューリングのＰＵＳＣＨ以外のＰＵＳＣＨを選択してＵＣＩを搬送すること、
前記上り搬送波の数値的特徴にＵＣＩのコードレートを更に含む場合、ネットワーク側から配置又は指示されたβオフセット値の重みに応じて、ＵＣＩを搬送した後のＵＣＩのコードレートが最も低いＰＵＳＣＨを選択してＵＣＩを搬送すること、
前記上り搬送波の数値的特徴にＰＵＳＣＨのデータ部分等価コードレートと制御ビットを更に含む場合、ＵＣＩを搬送した後のＰＵＳＣＨのデータ部分等価コードレートが最も低いか、又は制御ビットオーバーヘッドが最も少ないＰＵＳＣＨを選択してＵＣＩを搬送すること、
前記上り搬送波の数値的特徴に伝送終了時点を更に含む場合、伝送終了時点が最も早いＰＵＳＣＨを選択してＵＣＩを搬送すること、
重なりのあるＰＵＳＣＨが、ＰＵＣＣＨが存在するセル又は搬送波で伝送する場合、前記重なりのあるＰＵＳＣＨを選択してＵＣＩを搬送すること、
前記上り搬送波の数値的特徴にセル又は搬送波のサブスクリプトを更に含む場合、サブスクリプトが最も小さいセル又は搬送波上のＰＵＳＣＨを選択してＵＣＩを搬送すること、
前記上り搬送波の数値的特徴に伝送終了時点を更に含み、且つＰＵＣＣＨと重なるＰＵＳＣＨが複数存在してＵＣＩの搬送に利用可能である場合、伝送開始時点がＰＵＣＣＨの伝送開始時点と同一であり、且つ伝送終了時点が最も早いＰＵＳＣＨを選択してＵＣＩを搬送することのうち、少なくとも１つに基づいて、ＵＣＩを搬送するＰＵＳＣＨを選択することに用いられる、請求項１２〜１４のいずれか一項に記載のユーザ端末。
【国際調査報告】
2021513782.tif 000016
2021513782.tif 000017
2021513782.tif 000018
2021513782.tif 000019